【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
任意のユーザ端末の任意のマルチキャスト通信への接続要求を制御及び送信する機能を有する移動体ルータを介して，移動体ＩＰネットワークの少なくとも１つのユーザ移動体端末へマルチキャスト通信を行う方法であって，前記移動体ルータが前記ＩＰネットワークに接続した後，及びこの移動体ルータから自己の帰属サイトへ信号通知メッセージを送信した後に，
前記帰属サイトにおける，
自己の帰属サイト及び対応する自己の帰属組織に関連する前記移動体ルータの位置を，前記信号通知メッセージを用いて識別する識別ステップ，及び
位置識別情報のアイテムを前記移動体ルータに送信する送信ステップ，
並びに
前記移動体ルータにおける，前記帰属サイトに向けられ，前記移動体端末の帰属サイト及び対応する帰属組織の局所マルチキャスト通信に関連するグループマルチキャスト通信への接続を要求する前記移動体ＩＰネットワーク上の要求ユーザ移動体端末の任意の接続要求に対して，
前記位置識別情報が，自己の帰属サイト及び対応する自己の帰属組織の外部にある移動体ルータへのコネクションを示すとき，前記接続要求を，前記局所マルチキャスト通信への接続を提供する拡張マルチキャスト通信への接続要求に置換するステップと，
前記帰属サイトに前記拡張マルチキャスト通信への前記接続要求を送信するステップと，
前記拡張マルチキャスト通信を前記移動体ルータにおいて受信し，局所変換マルチキャスト通信に変換するステップと，
前記移動体ＩＰネットワークを介して，前記局所変換マルチキャスト通信を少なくとも前記要求ユーザ移動体端末に送信するステップと，
を少なくとも含むことを特徴とする方法。
【請求項２】
前記帰属サイトにおいて実行される前記識別ステップ及び送信ステップを，前記移動体ルータの，自己の帰属サイト，自己の帰属組織，又は公衆インターネットに対するコネクション位置を表す位置変数を生成するために，前記移動体ルータにおいて，前記移動体ルータのコネクションを探索する手続を実行するステップによって置換することを特徴とする請求項１に記載の方法。
【請求項３】
前記移動体ＩＰネットワーク上の要求ユーザ移動体端末がマルチキャスト通信の第１アドレスのマルチキャスト通信への接続要求をしたとき，前記移動体ルータがこの接続要求を送信する前に，
１）前記第１アドレスへ接続することによって提供されるマルチキャスト通信の種別を識別するステップと，
２−１）前記第１アドレスが大域マルチキャスト通信のアドレスであるとき，前記移動体ルータが通常の接続要求メッセージを送信することによって，前記第１アドレスへの接続要求を直接送信するステップ，又は
２−２）前記第１アドレスが前記要求ユーザ移動体端末の帰属組織の局所同報アドレスであるとき，前記位置変数を用いて前記移動体ルータのコネクション位置を識別するステップであって，このコネクション位置によって，
Ａ−１）前記移動体ルータが自己の帰属組織に属しているネットワークに接続されていることが分かったとき，通常の接続要求メッセージを送信することによって前記第１アドレスに対する接続要求を直接送信するステップ，又は
Ａ−２）前記移動体ルータが自己の帰属組織に属していないネットワークに接続されていることが分かったとき，前記移動体ルータから移動している移動体端末による接続を管理する前記要求ユーザ移動体端末の帰属サイトの計算機へ，前記移動体ルータの局所アドレスで接続可能な大域マルチキャスト通信の第２アドレスへの遠隔接続を要求するメッセージを送信し，前記移動体ルータが前記第２アドレスを受信した後に，前記第２アドレスから発せられる前記大域マルチキャスト通信ストリームを視聴契約するステップと，
Ｂ）前記第２アドレスから受信した前記大域マルチキャスト通信ストリームを，前記第１アドレスで前記移動体ＩＰネットワーク上で局所的に接続可能な局所変換マルチキャスト通信ストリームに変換するステップと，
Ｃ）前記移動体ルータから少なくとも前記要求ユーザ移動体端末へ，前記局所変換マルチキャスト通信ストリームを送信するステップと，
を含むステップと，を少なくとも含むことを特徴とする請求項１又は２に記載の方法。
【請求項４】
前記第１アドレスが，前記要求ユーザ移動体端末の帰属サイトの局所同報アドレスであるとき，前記位置変数を用いて前記移動体ルータのコネクション位置を識別するステップであって，このコネクション位置によって，
１）前記移動体ルータが自己の帰属サイトに属しているネットワークに接続されているとき，通常の接続要求メッセージを送信することによって，前記第１アドレスに接続要求を直接送信するステップ，又は
前記移動体ルータが，自己の帰属サイトに属していない別のネットワークに接続されていることが分かったとき，
２−１）前記移動体ルータから移動する移動体端末の接続を管理する前記要求ユーザ移動体端末の帰属サイトの計算機へ，前記移動体ルータの位置アドレスで接続可能な大域マルチキャスト通信の第２アドレスへの遠隔接続を要求するメッセージを送信し，前記移動体ルータが前記第２アドレスを受信した後，前記第２アドレスから発せられる前記大域マルチキャスト通信ストリームを視聴契約するステップと，
２−２）前記第２アドレスから受信した前記大域マルチキャスト通信ストリームを，前記第１アドレスで前記移動体ＩＰネットワーク上で局所的に接続可能な局所変換マルチキャスト通信ストリームに変換するステップと，
２−３）前記移動体ルータから少なくとも前記要求ユーザ移動体端末へ，前記局所変換マルチキャスト通信ストリームを送信するステップと，
を含むステップ，
を更に含むことを特徴とする請求項３に記載の方法。
【請求項５】
前記移動体ルータが送信した遠隔接続要求メッセージは，大域マルチキャスト通信要求メッセージ，又は前記要求ユーザ移動体端末の帰属組織の局所マルチキャスト通信に対する局所マルチキャスト通信要求メッセージのいずれかによって形成される拡張マルチキャスト通信への接続要求とすることを特徴とする請求項３又は４に記載の方法。
【請求項６】
自己の帰属結合ネットワークの内部及び／又は外部で動作できる移動体ルータに対して，帰属結合サイトによって，この移動体ルータからこの帰属結合ネットワークに属しているサイトへの任意のネットワークコネクションの内部永続アドレスと，この端末からこの帰属組織に属している別のサイトへの任意のネットワークコネクションの内部一時アドレスと，が前記移動体ルータに割り当てられ，かつ，前記帰属組織に属さない任意の外部サイトによって，前記移動体ルータから前記外部サイトへの任意のネットワークコネクションの外部一時アドレスが前記移動体ルータに割り当てられ，前記の各アドレスは前記移動体ルータに対して位置参照子の役割をし，自己の帰属サイト及び対応する自己の帰属組織に関連する前記移動体ルータの位置を識別する前記識別ステップは，
識別のために，前記位置参照子と，少なくとも，この帰属結合ネットワークに結合されこの帰属結合ネットワーク内で動作できる移動体ルータ集合に割り当てられた内部永続アドレス集合，及び前記帰属組織に属している別のサイトへの任意のコネクションのためにこの移動体ルータ集合に割り当てられた内部一時アドレス集合によって形成される集合のうち１つのアドレス値と，を比較するステップと，
内部永続アドレス集合に前記位置参照子があったときは，前記移動体ルータから自己の帰属結合ネットワークへのコネクション，又は内部一時アドレス集合に前記位置参照子があったときは，前記ネットワーク移動体ルータから前記帰属組織に属している別のサイトへのコネクション，又は内部永続アドレス集合及び内部一時アドレス集合双方に前記位置参照子がなかったときは，前記ネットワーク移動体端末から前記帰属組織に属していない外部サイトへのコネクション，のいずれかを示す前記移動体ルータの位置識別情報を少なくとも確立するステップと，
を少なくとも含むことを特徴とする請求項１〜５のいずれか一項に記載の方法。
【請求項７】
前記移動体端末の帰属組織及び対応する帰属サイトの局所マルチキャスト情報通信であって，該局所マルチキャスト情報通信の第１アドレスに組み込まれた同報情報源によって生成された局所マルチキャスト通信を用いる拡張マルチキャスト通信への接続要求を送信する前記送信ステップは，
前記移動体ルータから前記帰属サイトへ，少なくとも局所マルチキャスト情報通信の第１アドレス及び前記移動体ルータの識別符号を含む拡張マルチキャスト情報通信要求メッセージを送信するステップと，
前記帰属サイトが前記移動体ルータを識別した後に，前記帰属サイトから前記移動体ルータへ，前記帰属サイトに同報情報源がある大域マルチキャスト情報通信の第２アドレスを少なくとも含む接続オファーメッセージを送信するステップと，
前記移動体ルータが前記接続オファーメッセージを受信した後に，前記移動体ルータから前記帰属サイトへ，大域マルチキャスト情報通信の第２アドレスで同報する情報に接続するための接続オファー受付メッセージを送信するステップと，
前記帰属サイトにおいて前記接続オファー受付メッセージが受信された後に，前記第１同報アドレスから前記第２同報アドレスへ，同報する情報を転送するステップと，
局所マルチキャストモードにおいては前記第１アドレス下で同報し，大域マルチキャストモードにおいては前記第２アドレス下で同報する情報を前記サイト上で受信するために，前記第２アドレス下で同報する情報を大域マルチキャスト通信によって送信し，それによって前記移動体ルータが前記帰属サイト及び対応する前記帰属組織に属していないサイトに相互接続できるようにするステップと，
を含むことを特徴とする請求項５又は６に記載の方法。
【請求項８】
移動体ルータであって，該移動体ルータが管理する移動体ＩＰネットワークに接続されている任意のユーザ移動体端末による接続要求を制御し，送信する機能を備え，この移動体ＩＰネットワークは，この移動体ＩＰネットワークと相互接続された少なくとも１つのユーザ移動体端末を含み，
前記の要求ユーザ移動体端末が送信した任意のマルチキャスト通信への接続要求が要求するマルチキャスト通信の種別を識別する手段と，
自己の帰属サイト及び対応する自己の帰属組織の外部にある移動体ルータのコネクションの位置変数によって，前記移動体端末の帰属サイト及び対応する帰属組織の局所マルチキャスト通信に関連する，前記帰属サイトのグループマルチキャスト通信への任意の接続要求を，前記局所マルチキャスト通信への接続を提供する拡張マルチキャスト通信への接続要求に置換する手段と，
任意の受信拡張マルチキャスト通信を局所変換マルチキャスト通信に変換する変換手段と，
を少なくとも含むことを特徴とする移動体ルータ。
【請求項９】
前記受信拡張マルチキャスト通信を局所変換マルチキャスト通信に変換する前記変換手段は，大域マルチキャスト通信のアドレスを局所変換マルチキャスト通信のアドレスで置換する置換手段を備えることを特徴とする請求項８に記載の移動体ルータ。
【請求項１０】
前記移動体ルータはＩＰメッセージを送信及び受信する手段を備え，前記の受信手段は少なくとも前記接続オファーメッセージ内の位置情報及び前記拡張マルチキャスト通信を受信することができ，前記の送信手段は少なくとも，前記拡張マルチキャスト情報通信要求メッセージと，前記接続オファー受付メッセージと，前記移動体ＩＰネットワークを介した前記局所変換マルチキャスト通信ストリームと，を少なくとも前記要求ユーザ移動体端末に送信できることを特徴とする請求項８又は９に記載の移動体ルータ。
【請求項１１】
記憶媒体に記録され，ソフトウェアエージェントの形態で計算機によって実行可能なプログラムであって，
位置識別情報を受信し，
前記位置識別情報が，自己の帰属サイト及び対応する自己の帰属組織の外部にある移動体ルータへのコネクションを示すとき，ＩＰネットワーク上の要求ユーザ移動体端末による接続要求を，局所マルチキャスト通信への接続を提供する拡張マルチキャスト通信への接続要求に置換し，
前記帰属サイトに，前記拡張マルチキャスト通信への接続要求を送信し，
前記拡張マルチキャスト通信を，前記移動体ルータにおいて受信し，局所変換マルチキャスト通信に変換し，
前記モバイルＩＰネットワークを介して，前記局所変換マルチキャスト通信を少なくとも前記要求ユーザ移動体端末へ送信する，
ように設定された少なくとも１つのソフトウェアモジュールを含むことを特徴とするプログラム。
【請求項１２】
前記の変換ソフトウェアモジュールは，大域マルチキャスト通信のアドレスを，局所変換マルチキャスト通信のアドレスで置換するための少なくとも１つの置換モジュールを含むことを特徴とする請求項１１に記載のプログラム。